(57)【要約】      （修正有）【課題】装着自在で、且つ、その幅と長さを調節容易として、設置する場所の幅や高さに容易に対応可能な簾状の間仕切りカーテンを提供する。【解決手段】平面状の上面と前面と後面と、カーテン吊り下げ部となる開口部を下側に備える断面コの字状の直条体のレール本体部材と、該レール本体部材の一端側を切断して、そのレール長さを調節可能な構成とし、このレール本体部材の３面の少なくとも一面に固定用接着部材を介装して取り付け自在とした第一固定部と、前記３面のそれぞれの両端部に形成した固定用のビス孔７、７Ａからなる第二固定部を設けた構成とし、設置する場所の幅に応じた長さにレール本体部材２を切断し、設置する壁面位置に応じた面の第一固定部または第二固定部を用いて、任意の場所に装着容易な間仕切りカーテン１とした。【選択図】図１
0003153509.tif 000002
【実用新案登録請求の範囲】
【請求項１】
それぞれが平面状の上面と前面と後面の３面と、カーテン吊り下げ部となる開口部を下側に備え、内部にカーテンランナーを摺動自在に支持するカーテンレールが形成された断面コの字状の直条体のレール本体部材を備えた間仕切りカーテンであって、
前記レール本体部材が該レール部材の一端側を切断して、そのレール長さを調節可能な構成とし、前記３面の少なくとも一面に固定用接着部材を介装して取り付け自在とした第一固定部と、前記３面のそれぞれの両端部に形成した固定用のビス孔からなる第二固定部を設けたことを特徴とする間仕切りカーテン。
【請求項２】
前記３面に、前記固定用接着部材を予め配設したことを特徴とする請求項１に記載の間仕切りカーテン。
【請求項３】
前記固定用接着部材が剥離紙を備える両面テープ部材であって、前記３面に設ける両面テープの少なくとも一面の剥離紙を剥離して所望の位置に装着することを特徴とする請求項２に記載の間仕切りカーテン。
【請求項４】
前記固定用接着部材がマジックテープ（登録商標）であることを特徴とする請求項１に記載の間仕切りカーテン。
【請求項５】
前記カーテンが、縦編糸と横編糸とを編成した面状部と、縦編糸を備え横編糸を備えていない多数の紐状部分からなる簾状部とを備え、前記面状部に前記カーテン支持棒が挿通可能な差込部を設けた簾状カーテンであることを特徴とする請求項１から４のいずれかに記載の間仕切りカーテン。
【請求項６】
前記カーテンが、縦編糸と横編糸とを編成した編地に、所定の模様絵柄をプリントし、プリントした後で所定部分の横編糸を除去して簾状部を形成していることを特徴とする請求項５に記載の間仕切りカーテン。
【請求項７】
前記編地に解れ防止加工を施して、前記カーテンの面状部と簾状部が、切断自在であることを特徴とする請求項６に記載の間仕切りカーテン。
【請求項８】
前記編地が、ポリエステルなどの化合繊糸を経編した編布からなり、前記解れ防止加工が、プリント加工の際に行う加熱加圧処理により行われることを特徴とする請求項６または７に記載の間仕切りカーテン。
【請求項９】
前記レール本体部材が樹脂製であることを特徴とする請求項１から８のいずれかに記載の間仕切りカーテン。
【請求項１０】
前記前記レール本体部材がアルミ引抜き材製であることを特徴とする請求項１から８のいずれかに記載の間仕切りカーテン。
【考案の詳細な説明】
【技術分野】
【０００１】  本考案は、間仕切りカーテンに関し、特に、任意の場所で容易に使用可能となる簾状の間仕切りカーテンに関するものである。
【背景技術】
【０００２】  従来、カーテンは、カーテンレールにカーテンランナーをスライド可能に装着して、カーテンを吊り下げるカーテンフックをカーテンランナーに引っ掛け、カーテンの端を摘んで開閉する構成とされている。【０００３】  また、室内を簡単に区切る簾状や紐状のカーテンも用いられている。この簾状や紐状のカーテンであれば、そのまま簾状部分や紐状部分を掻き分けるようにして人が通過できるので、カーテンを開閉する必要はない。【０００４】  簾状や紐状のカーテンは、部屋を完全に区切るものでなく、見通しは阻害するが挿通は可能であるので、部屋を簡単に区切る間仕切りカーテンとして用いることが可能である。また、意匠性に優れた間仕切りカーテンを設けることで、室内のインテリア性を向上することができる。【０００５】  そのために、経糸を紐状とし、緯糸に水溶性編糸を用いて編成し、編成した後で緯糸ヲ水溶して製造する垂れ紐状の間仕切りカーテンがすでに提案されている（例えば、特許文献１参照）。
【先行技術文献】
【特許文献】
【０００６】
【特許文献１】  実用新案登録第３１２０４５２号公報
【考案の概要】
【考案が解決しようとする課題】
【０００７】  このような簾状の間仕切りカーテンが任意の位置に装着可能であれば、使用利便性が向上して好ましい。また、装着する位置に応じて、その幅と長さを容易に調整可能であることが好ましい。【０００８】  また、季節や室内の模様替えに応じて、所望の意匠を有する異なる間仕切りカーテンに変更容易であることが望ましい。【０００９】  本考案は、上記問題点に鑑み、装着自在で、且つ、その幅と長さを調節容易として、設置する場所の幅や高さに容易に対応可能な簾状の間仕切りカーテンを提供することを目的とする。
【課題を解決するための手段】
【００１０】  上記課題を解決するために本考案は、それぞれが平面状の上面と前面と後面の３面と、カーテン吊り下げ部となる開口部を下側に備え、内部にカーテンランナーを摺動自在に支持するカーテンレールが形成された断面コの字状の直条体のレール本体部材を備えた間仕切りカーテンであって、前記レール本体部材が、該部材の一端側を切断して、そのレール長さを調節可能な構成とし、前記３面の少なくとも一面に固定用接着部材を介装して取り付け自在とした第一固定部と、前記３面のそれぞれの両端部に形成した固定用のビス孔からなる第二固定部を設けたことを特徴とする。【００１１】  この構成によると、設置する場所の幅に応じた長さにレール本体部材を切断し、設置する壁面位置に応じた面に固定用接着部材を介装して、任意の場所に装着容易な間仕切りカーテンとなる。また、固定用接着部材からなる第一固定部を用いて簡単に固定することができ、さらに、強固に固定したい場合には、第二固定部のビス孔の固定用ビスを装着して固定することができる。【００１２】  また本考案は、上記構成の間仕切りカーテンにおいて、前記３面に、前記固定用接着部材を予め配設したことを特徴としている。この構成によると、設置する壁面位置に応じた面の固定用接着部材を用いることで、任意の場所に装着容易な間仕切りカーテンとなる。【００１３】  また本考案は、上記構成の間仕切りカーテンにおいて、前記固定用接着部材が剥離紙を備える両面テープ部材であって、前記３面に設ける両面テープの少なくとも一面の剥離紙を剥離して所望の位置に装着することを特徴としている。この構成によると、設置する壁面位置に応じた面の両面テープを用いることができ、さらに任意の場所に装着容易な間仕切りカーテンとなる。【００１４】  また本考案は、上記構成の間仕切りカーテンにおいて、前記固定用接着部材がマジックテープ（登録商標）であることを特徴としている。この構成によると、カーテンを設置したい位置に固定用のマジックテープを固着して、この位置に固定可能な間仕切りカーテンとなる。【００１５】  また本考案は、上記構成の間仕切りカーテンにおいて、前記カーテンが、縦編糸と横編糸とを編成した面状部と、縦編糸を備え横編糸を備えていない多数の紐状部分からなる簾状部とを備え、前記面状部に前記カーテン支持棒が挿通可能な差込部を設けた簾状カーテンであることを特徴としている。この構成によると、レール本体部材のカーテン支持棒に差込部を嵌め込むだけで、簾状の間仕切りカーテンを設置することができる。【００１６】  また本考案は、上記構成の間仕切りカーテンにおいて、前記カーテンが、縦編糸と横編糸とを編成した編地に、所定の模様絵柄をプリントし、プリントした後で所定部分の横編糸を除去して簾状部を形成していることを特徴としている。この構成によると、所定の模様絵柄をプリントしてインテリア性に優れた間仕切りカーテンを得ることができる。【００１７】  また本考案は、上記構成の間仕切りカーテンにおいて、前記編地に解れ防止加工を施して、前記カーテンの面状部と簾状部が、切断自在であることを特徴としている。この構成によると、糸条が編目ループを形成して絡み合って解れ難い構成の経編布がさらに解れ難��なって、このカーテンを任意の部分で裁断しても、この裁断口での糸条の解れが生じないカーテンとなる。【００１８】  また本考案は、上記構成の間仕切りカーテンにおいて、前記編地が、ポリエステルなどの化合繊糸を経編した編布からなり、前記解れ防止加工が、プリント加工の際に行う加熱加圧処理により行われることを特徴としている。この構成によると、プリント加工の際に印加する加熱加圧処理により、化合繊糸を一部溶融して固定して、強固な解れ防止加工とすることができる。【００１９】  また本考案は、上記構成の間仕切りカーテンにおいて、前記レール本体部材が樹脂製であることを特徴としている。この構成によると、ノコギリや切断カッターなどを用いて容易に切断することができる。【００２０】  また本考案は、上記構成の間仕切りカーテンにおいて、前記前記レール本体部材がアルミ引抜き材製であることを特徴としている。この構成によると、切断容易な板金製のアルミ引き抜き材であるので、ノコギリや切断カッターなどを用いて容易に切断することができる。
【考案の効果】
【００２１】  本考案によれば、上面と前面と後面の３面と、カーテン吊り下げ部となる開口部を下側に備えたレール本体部材の一端側を切断して、そのレール長さを調節可能な構成とし、前記３面の少なくとも一面に固定用接着部材を介装して取り付け自在とした第一固定部と、前記３面のそれぞれの両端部に形成した固定用のビス孔からなる第二固定部を設けた構成の間仕切りカーテンとしたので、設置する場所の幅に応じた長さにレール本体部材を切断し、設置する壁面位置に応じた面に固定用接着部材を介装した第一固定部またはビス止めが可能な第二固定部を介して、任意の場所に装着容易な間仕切りカーテンを得ることができる。
【図面の簡単な説明】
【００２２】
【図１】本考案に係る間仕切りカーテンの全体構成を示す概略説明図である。
【図２】本考案に係る間仕切りカーテンの要部拡大図を示す。
【図３】本考案に係る間仕切りカーテンの紐状部分を示す概略説明図である。
【考案を実施するための形態】
【００２３】  以下に本考案の実施形態を図面を参照して説明する。また、同一構成部材については同一の符号を用い、詳細な説明は適宜省略する。
【００２４】  本考案に係る間仕切りカーテンは、簾状や紐状の間仕切りカーテンであって、簾状部分や紐状部分を掻き分けるようにして人が通過できるが、見通しを阻害してそれぞれ区別することができ、室内を簡単に区切るカーテンとして用いることができる。
【００２５】  例えば、図１に示すように、簾状部３１と面状部３２を備えた簾状のカーテン３を、レール本体部材２にカーテンランナー５とカーテンフック６を用いて装着した間仕切りカーテン１である。
【００２６】  レール本体部材２は、それぞれが平面状の上面と前面と後面と、カーテン吊り下げ部となる開口部２０を下側に備え、内部にカーテンランナー５を摺動自在に支持するカーテンレール２１が形成された断面コの字状の直条体である。
【００２７】  また、一端側を切断部２Ａとして、そのレール長さを調節可能な構成としている。この構成であれば、設置する場所の幅に応じた長さにレール本体部材２を切断することで、任意の場所に装着容易な間仕切りカーテン１となって好ましい。
【００２８】  また、上面と前面と後面との３面の少なくとも一面に固定用接着部材４を介装して取り付け自在とした第一固定部と、前記３面のそれぞれの両端部に形成した固定用のビス孔７、７Ａからなる第二固定部を設けている。この構成であれば、固定用接着部材４からなる第一固定部を用いて簡単に固定することができ、さらに、強固に固定したい場合には、第二固定部のビス孔７、７Ａの固定用ビスを装着して固定することができる。
【００２９】  カーテン３は、ポリエステルなどの化合繊糸を経編した編布からなり、縦編糸と横編糸とを編成した面状部３２と、縦編糸を備え横編糸を備えていない多数の紐状部分からなる簾状部３１とを備えている。また、例えば、前記面状部３２にカーテンフック６を装着するフック挿通部を設けている。そのために、このフック挿通部に装着したカーテンフック６をカーテンランナー５に装着して、カーテン３をレール本体部材２に取り付けることができる。
【００３０】  カーテンランナー５は、図２に示すように、レール本体部材２の内部に形成されたカーテンレール２１に沿って摺動するランナー部５Ａと、該ランナー部５Ａから垂下している脚部５Ｂと、該脚部５Ｂの下部に設けられているカーテンフック装着部５Ｃとを備えている。また、断面コの字状とされるレール本体部材２の開放された両端部から挿入自在である。この際に、一旦挿入したカーテンランナー５の飛び出しを防止するために、レール本体部材２の開放された両端部に蓋部材を装着してもよい。この蓋部材は、簡単に取り外しができるように着脱自在であることが好ましい。
【００３１】  固定用接着部材４は、レール本体部材２の上面２２と前面２３と後面２４の３面の少なくとも一面に介装しておく。また、これらの３面に全て介装しておき、必要な部分を用いて所望の任意の姿勢で取り付け自在とすることもできる。この固定用接着部材４は、例えば、両面テープ部材やマジックテープ（登録商標）を用いることができる。
【００３２】  両面テープ部材やマジックテープ（登録商標）などの固定用接着部材４は、必要に応じて前記３面のいずれかに介装してもよい。また、前記３面に予め配設しておいてもよく、いずれか一面の固定用接着部材４を用いて任意の場所に装着可能とすることができる。
【００３３】  例えば、３面にそれぞれ剥離紙を備えた両面テープ部材を予め取り付けた構成とし、いずれか一面の両面テープ部材が備える剥離紙を剥がして、室内の所望の壁部や天井部に付着させることができる。そのために、設置する壁面位置に応じた面の両面テープ部材を用いることで、任意の場所に装着容易な間仕切りカーテン１となる。
【００３４】  また、固定用接着部材４をマジックテープ（登録商標）とすると、カーテンを設置したい位置に固定用のマジックテープ（登録商標：不図示）を設置することで、強力に固着することも取り外すことも可能となって、任意の位置に着脱自在な間仕切りカーテン１となって好ましい。
【００３５】  また、ビス孔７Ａは、切断部２Ａ側に設ける第二固定部であって、切断することを考慮して、予め複数のビス孔を設けておくことが好ましい。また、ビス孔７は切断しない固定側に設ける第二固定部でるので、各面に一個設ければよい。これらのビス孔７、７Ａは、上面２２と前面２３と後面２４の３面の全てにそれぞれ設けておくことが好ましい。この構成であれば、切断部２Ａにて、レール本体部材２を切断して、その長さを調節自在であり、所定の面の第一固定部を用いて簡単に固定することができる。また、第二固定部のビス孔７、７Ａに固定用ビスを装着して強固に固定することができ、任意の場所に装着容易な間仕切りカーテン１となって好ましい。
【００３６】  レール本体部材２を切断容易とするには、これを切断容易な材質、例えば樹脂製、もしくは、薄い板金製とすればよく、特に限定するものではない。例えば、断面コの字状の薄いアルミ板金製、あるいは、アルミ引抜き材製の断面コの字状の直条体とすると、ノコギリや切断カッターなどを用いて容易に切断可能なレール本体部材２となる。
【００３７】  特に、アルミ引抜き材製であれば、カーテンレール２１を一体成型することも容易であるので、予め長尺なレール本体部材２を作成しておき、所望の長さに切断して所定長さのレール本体部材２を容易に得ることが可能である。
【００３８】  また、カーテン３も切断自在であることが好ましく、縦編糸と横編糸とを編成した面状部３２と、縦編糸を備え横編糸を備えていない多数の紐状部分からなる簾状部３１とを共に切断して、カーテン３の幅と高さ方向の長さを変更可能としている。
【００３９】  カーテン３を構成する経編布では、糸条が編目ループを形成して絡み合っているので裁断口で糸条が解れ難く、このままでも切断して用いることができる。また、縦編糸と横編糸とを編成した編地に、所定の模様絵柄をプリントし、プリントした後で所定部分の横編糸を除去して簾状部を形成しているので、プリント加工の際に行う加熱加圧処理により化合繊を押圧して編目をさらに解れ難くすることができる。このような構成であれば、カーテンを設置する室内の寸法に応じたサイズに容易に切断できると共に、所定の模様絵柄をプリントしてインテリア性に優れた間仕切りカーテン１を得ることができる。
【００４０】  特に、カーテン３の編地が、ポリエステルなどの化合繊糸を経編した編布からなる構成であれば、プリント加工の際に印加する加熱加圧処理により、化合繊糸を一部溶融して固定して、強固な解れ防止加工とすることができる。
【００４１】  また、プリント加工の際に行う加熱加圧処理以外の解れ防止加工を施してもよく、例えば、糊材や透明な樹脂を塗布することで、解れ防止加工を施すことができる。このように、解れ防止加工を施したカーテン３であれば、糸条が編目ループを形成して絡み合って解れ難い構成の経編布がさらに解れ難くなって、このカーテン３を任意の部分で裁断しても、この裁断口での糸条の解れが生じない。
【００４２】  例えば、図３に示すように、多数の紐状部分からなる簾状部３１を構成する一つの紐状部３２ａは、二本の縦糸１１、１２に一本の編糸１３が連続的に繰り返しループ状に編み込まれた縦編糸に形成されている。また、この編目部分に解れ防止加工を施すことで、長さ方向の任意の位置で切断しても、編目ループが解れない。また、多数の紐状部分間を切断することで、カーテン３を幅方向の任意の位置で切断可能となる。そのために、カーテン３の幅ほうこうと長さ方向とが、共に切断自在となって、カーテン３を設置する室内の寸法に応じたサイズに容易に切断可能となる。
【００４３】  上記したように、カーテン３の面状部３２と簾状部３１が共に切断自在であるので、カーテンを設置する室内の幅寸法や上下の高さ寸法に応じたサイズに容易に切断できる。また、このカーテン３を設置する空間に突出した壁や柱や家具などの外形寸法に合致させて切断することも可能となって、さらに使い勝手のよい、インテリア性に優れた間仕切りカーテン１となる。
【００４４】  また、断面コの字状の直条体のレール本体部材の上面と前面と後面の３面に、固定用接着部材４を予め配設しておくことで、このカーテンを設置する位置に応じて、壁や固定物に当接する一面、もしくは二面の両面テープ部材の剥離紙を剥がして接着し固定することができる。
【００４５】  また、間仕切りカーテン１を設置した後でも、カーテン３の幅方向と長さ方向とを共に切断可能であるので、所望の形状に切断して、雰囲気を変えたり、室内の模様替えをしたりすることが可能である。
【００４６】  上記したように、本考案によれば、レール本体部材が、該部材の一端側を切断して、そのレール長さを調節可能な構成とし、このレール本体部材の３面の少なくとも一面に固定用接着部材を介装して取り付け自在とした第一固定部と、前記３面のそれぞれの両端部に形成した固定用のビス孔からなる第二固定部を設けた構成としたので、設置する場所の幅に応じた長さにレール本体部材を切断し、設置する壁面位置に応じた面に固定用接着部材を介装して、任意の場所に装着容易な間仕切りカーテンとなる。また、固定用接着部材からなる第一固定部を用いて簡単に固定することができ、さらに、強固に固定したい場合には、第二固定部のビス孔の固定用ビスを装着して固定することができる。
【００４７】  また、カーテンを、縦編糸と横編糸とを編成した経編布から構成すると、糸条が編目ループを形成して絡み合っているので裁断口で糸条が解れ難く、このままでも切断して用いることができる。さらに、所望の色合いや絵柄をプリント加工したカーテンとして、プリント加工の際に行う加熱加圧処理により化合繊を押圧して編目をさらに解れ難くすることができる。
【００４８】  そのために、本考案に係る間仕切りカーテンは、予め配設している両面テープ部材を介して装着自在であると共に、カーテンを設置する室内の幅寸法や上下の高さ寸法に応じたサイズに容易に切断できるので、使い勝手のよい間仕切りカーテンとなって好ましい。
【符号の説明】
【００４９】      １  間仕切りカーテン
２  レール本体部材
２０  開口部
２１  カーテンレール
３  簾状カーテン
３１  簾状部
３２  面状部
３３  差込部
４  固定用接着部材（第一固定部）
７、７Ａ  ビス孔（第二固定部）
【図１】
0003153509.tif 000003
【図２】
0003153509.tif 000004
【図３】
0003153509.tif 000005